(57)【特許請求の範囲】
【請求項１】
出力情報帯域が入力情報帯域以下である場合に入力セルをシェーピングするバンド共用回路において、
入力セルが、伝送元でタギングされた既タギングセルか、伝送元でタギングされなかった非タギングセルか、伝送元でタギング処理を経ていない未タギングセルかを観測し、タギング情報として出力するタギング観測手段と、
前記タギング情報および廃棄指示に応じて、前記入力セルのうち前記既タギングセルまたは前記未タギングセルを優先的に廃棄し、さらに廃棄されなかったセルの中で前記未タギングセルまたは前記非タギングセルをタギングするタギング／セル廃棄手段と、
前記タギング／セル廃棄手段から出力されるセルを蓄積するセルバッファ回路と、
前記セルバッファ回路の受入れ余地を観測し、受入れ余地に応じた前記廃棄指示を出力するバッファ閾値観測／廃棄指示手段と
を備えたことを特徴とするバンド共用回路。
【請求項２】
請求項１に記載のバンド共用回路において、
廃棄指示に応じて優先的に廃棄するセルとして、既タギングセルまたは未タギングセルのいずれか一方を指定する廃棄優先制御手段を備えた
ことを特徴とするバンド共用回路。
【請求項３】
請求項１に記載のバンド共用回路において、
タギング観測手段は既タギングセルおよび未タギングセルの量を観測し、廃棄優先制御手段はその既タギングセルおよび未タギングセルの量に応じて優先的に廃棄するセルを指定する構成である
ことを特徴とするバンド共用回路。
【請求項４】
出力情報帯域が入力情報帯域以下である場合に入力セルをシェーピングするバンド共用回路において、
入力セルが、伝送元でタギングされた既タギングセルか、伝送元でタギングされなかった非タギングセルか、伝送元でタギング処理を経ていない未タギングセルかを観測し、廃棄指示に応じて既タギングセルまたは未タギングセルを優先的に廃棄するタギング観測／前段セル廃棄手段と、
前記廃棄指示に応じて、前記タギング観測／前段セル廃棄手段から出力されるセルを廃棄し、さらに廃棄されなかったセルの中で前記未タギングセルまたは前記非タギングセルをタギングするタギング／セル廃棄手段と、
前記タギング／セル廃棄手段から出力されるセルを蓄積するセルバッファ回路と、
前記セルバッファ回路の受入れ余地を観測し、受入れ余地に応じた前記廃棄指示を出力するバッファ閾値観測／廃棄指示手段と、
前記廃棄指示に応じて優先的に廃棄するセルを指定する廃棄優先制御手段と
を備えたことを特徴とするバンド共用回路。
【請求項５】
請求項４に記載のバンド共用回路において、
タギング観測／前段セル廃棄手段は既タギングセルおよび未タギングセルの量を観測し、廃棄優先制御手段はその既タギングセルおよび未タギングセルの量に応じて優先的に廃棄するセルを指定する構成である
ことを特徴とするバンド共用回路。
【請求項６】
出力情報帯域が入力情報帯域以下である場合に入力セルをシェーピングするバンド共用回路において、
入力セルが、伝送元でタギングされた既タギングセルか、伝送元でタギングされなかった非タギングセルか、伝送元でタギング処理を経ていない未タギングセルかを観測し、第２の廃棄指示に応じて既タギングセルまたは未タギングセルを優先的に廃棄するタギング観測／前段セル廃棄手段と、
第１の廃棄指示に応じて、前記タギング観測／前段セル廃棄手段から出力されるセルを廃棄し、さらに廃棄されなかったセルの中で前記未タギングセルまたは前記非タギングセルをタギングするタギング／セル廃棄手段と、
前記タギング／セル廃棄手段から出力されるセルを蓄積するセルバッファ回路と、
前記セルバッファ回路の受入れ余地を観測し、受入れ余地に応じた前記第１の廃棄指示を出力する第１のバッファ閾値観測／廃棄指示手段と、
前記セルバッファ回路の受入れ余地を観測し、受入れ余地に応じた前記第２の廃棄指示を出力する第２のバッファ閾値観測／廃棄指示手段と
を備えたことを特徴とするバンド共用回路。
【請求項７】
出力情報帯域が入力情報帯域以下である場合に入力セルをシェーピングするバンド共用回路において、
入力セルが、伝送元でタギングされた既タギングセルか、伝送元でタギングされなかった非タギングセルか、伝送元でタギング処理を経ていない未タギングセルかを観測し、第２の廃棄指示に応じて既タギングセルまたは未タギングセルを優先的に廃棄するタギング観測／前段セル廃棄手段と、
前記タギング観測／前段セル廃棄手段から出力されるセルを蓄積する前段セルバッファ回路と、
前記前段セルバッファ回路の受入れ余地を観測し、受入れ余地に応じた前記第２の廃棄指示を出力する第２のバッファ閾値観測／廃棄指示手段と、
第１の廃棄指示に応じて、前記前段セルバッファ回路から出力されるセルを廃棄し、さらに廃棄されなかったセルの中で前記未タギングセルまたは前記非タギングセルをタギングするタギング／セル廃棄手段と、
前記タギング／セル廃棄手段から出力されるセルを蓄積するセルバッファ回路と、
前記セルバッファ回路の受入れ余地を観測し、受入れ余地に応じた前記第１の廃棄指示を出力する第１のバッファ閾値観測／廃棄指示手段と
を備えたことを特徴とするバンド共用回路。
【請求項８】
出力情報帯域が入力情報帯域以下である場合に入力セルをシェーピングするバンド共用回路において、
入力セルが、伝送元でタギングされた既タギングセルか、伝送元でタギングされなかった非タギングセルか、伝送元でタギング処理を経ていない未タギングセルかを観測し、非タギングセルおよび未タギングセルはそのまま出力し、既タギングセルは通過指示がある場合にのみ出力するタギング観測／前段セル廃棄手段と、
前記タギング観測／前段セル廃棄手段を通過する非タギングセルおよび未タギングセルの帯域を一定時間で計測し、出力情報帯域に余裕がある場合に前記通過指示を出力する観測窓内セル計数／通過許可手段と、
廃棄指示に応じて、前記タギング観測／前段セル廃棄手段から出力されるセルを廃棄し、さらに廃棄されなかったセルの中で前記未タギングセルまたは前記非タギングセルをタギングするタギング／セル廃棄手段と、
前記タギング／セル廃棄手段から出力されるセルを蓄積するセルバッファ回路と、
前記セルバッファ回路の受入れ余地を観測し、受入れ余地に応じた前記廃棄指示を出力するバッファ閾値観測／廃棄指示手段と
を備えたことを特徴とするバンド共用回路。
【請求項９】
請求項８に記載のバンド共用回路において、
一定時間と出力情報帯域との積が１セルのビット数または１パケットのビット数の整数倍である
ことを特徴とするバンド共用回路。
【請求項１０】
請求項８に記載のバンド共用回路において、
一定時間と一定時間内の通過許可帯域との積が１セルのビット数の整数倍である
ことを特徴とするバンド共用回路。
【請求項１１】
請求項４ないし請求項８のいずれかに記載のバンド共用回路において、
タギング観測／前段セル廃棄手段は、入力セルが既タギングセルか、非タギングセルか、未タギングセルかを観測し、その観測結果をタギング情報として出力し、タギング／セル廃棄手段はこのタギング情報に応じてセルのタギング処理を行う構成である
ことを特徴とするバンド共用回路。
【請求項１２】
出力情報帯域が入力情報帯域以下である場合に入力セルをシェーピングするバンド共用回路において、
入力セルが、伝送元でタギングされた既タギングセルか、伝送元でタギングされなかった非タギングセルか、伝送元でタギング処理を経ていない未タギングセルかを観測し、廃棄指示に応じて既タギングセルまたは未タギングセルを優先的に廃棄するタギング観測／前段セル廃棄手段と、
前記タギング観測／前段セル廃棄手段から出力されるセルを蓄積するセルバッファ回路と、
前記セルバッファ回路の受入れ余地を観測し、受入れ余地に応じた前記廃棄指示を出力するバッファ閾値観測／廃棄指示手段と
を備えたことを特徴とするバンド共用回路。
【請求項１３】
請求項１ないし請求項１２のいずれかに記載のバンド共用回路において、
タギング処理とセル廃棄の少なくとも一方がパケット単位である
ことを特徴とするバンド共用回路。
【発明の詳細な説明】
【０００１】
【発明の属する技術分野】
本発明は、ポイント−マルチポイント型のＡＴＭ−ＰＤＳ（Asynchronous Transfer Mode - Passive Double Star) 伝送システムにおいて、局内の加入者線端局装置（ＳＬＴ）に備えられ、出力情報帯域が入力情報帯域以下である場合に入力セルをシェーピングするバンド共用回路に関する。
【０００２】
【従来の技術】
ＡＴＭ−ＰＤＳ伝送システムの加入者線端局装置（ＳＬＴ）に備えられるバンド共用回路は、複数の網終端装置（ＯＮＵ）や他の加入者線端局装置から伝送されてきた情報を宛先ごとにまとめて伝送する機能を有する。バンド共用回路に集められた情報帯域の合計が、バンド共用回路から伝送可能な帯域より大きい場合には、内蔵するバッファに蓄積したり、所定の優先順位をつけて廃棄することにより、バンド共用回路の伝送可能な帯域までシェーピングする。
【０００３】
ここで、シェーピング対象の目印としてＣＬＰ（セル損失優先表示:Cell Loss Priority ）が用いられる例について説明する。この目印は、表示されているセル（ＣＬＰ＝１）と、表示されていないセル（ＣＬＰ＝０）が競合した場合に、表示されているセルを優先して廃棄するために用いられる。このＣＬＰは、ＡＴＭセルの場合にはＡＴＭオーバヘッドに記載される。
【０００４】
最低保証帯域が設定されているバンド共用回路では、最低保証帯域以下のセルにはＣＬＰ＝０を書き込み、最低保証帯域を越えるセルにはＣＬＰ＝１を書き込み、最低保証帯域を越えるセルから優先して廃棄する。本明細書では、ＣＬＰ＝１を書き込む動作を「タギング」といい、ＣＬＰ＝１が書き込まれているセルを「タギングセル」という。
【０００５】
図１５は、最低保証帯域が設定されている従来のバンド共用回路の構成例を示す。
図において、伝送されてきたセルは、タギング／セル廃棄手段１１に入力される。タギング／セル廃棄手段１１は、伝送元ごとに割り当てた最低保証帯域以下の帯域のセルには、セル優先廃棄を示すタギングをせずにセルバッファ回路１２に入力する。また、最低保証帯域を越える帯域のセルが入力され、かつセルバッファ回路１２の受入れ余地が十分にある場合には、タギングしてセルバッファ回路１２に入力する。また、最低保証帯域を越える帯域のセルが入力され、かつセルバッファ回路１２の受入れ余地が閾値を下回った場合には、そのセルを廃棄する。バッファ閾値観測／廃棄指示手段１３は、セルバッファ回路１２の受入れ余地を観測し、受入れ余地が閾値を下回った場合にタギング／セル廃棄手段１１に対して廃棄指示を行う。以上の構成により、バンド共用回路はシェーピングを行う。
【０００６】
【発明が解決しようとする課題】
しかし、図１５に示す従来のバンド共用回路は、セルの伝送元でタギング処理されたセルが入力されることを想定していない。すなわち、最低保証帯域を越える帯域のセルが入力されたときのタギングやセル廃棄は、入力時点でＣＬＰ＝１が書き込まれているセル（以下「既タギングセル」という。）か、ＣＬＰ＝０が書き込まれているセル（以下「非タギングセル」という。）かを区別することなく行われる。そのため、既タギングセルを再タギングしたり、非タギングセルをタギングまたは廃棄する場合が生じる。
【０００７】
ここで、タギングの際の書き込み論理が論理反転するものであれば、既タギングセルを再タギングすれば、タギングの状態が反転して非タギングの状態となる。そのため、タギングが最低保証帯域を越える帯域のセルを意味している場合には、最低保証帯域を越える帯域のセルが廃棄されずに伝送されることになる。また、非タギングセルをタギングすれば、最低保証帯域以下の帯域のセルがタギングされることになり、いずれセル廃棄が生じることになる。
【０００８】
一方、タギングの際の書き込み論理が論理反転しないものであれば、既タギングセルの再タギングはタギング状態が維持されるので問題はないが、非タギングセルのタギングについては、同様に最低保証帯域以下の帯域のセルがタギングされることになり、いずれセル廃棄が生じることになる。
このような不具合は、タギングによるシェーピング機能を有するバンド共用回路や、このようなバンド共用回路を内蔵する加入者線端局装置（ＳＬＴ）を縦続接続した場合に生じる。また、シェーピング機能を有するバンド共用回路を縦続接続しない場合でも、タギングにより伝送品質の違いや希望廃棄順序を提示する装置からの伝送を扱う場合にも生じる。
【０００９】
同様のことは、ＡＴＭ−ＰＤＳ伝送システムの加入者線端局装置（ＳＬＴ）以外でも、出力情報帯域を入力情報帯域以下にシェーピングする装置に収容されるバンド共用回路でも問題となる。
ところで、図１６に示すシステム構成では、縦続接続されたバンド共用回路に、前段のバンド共用回路からタギング処理済みのセル（既タギングセルまたは非タギングセル）と、端末からタギング未処理のセル（以下「未タギングセル」という。）が入力される。なお、非タギングセルと未タギングセルは、ともにＣＬＰ＝０が書き込まれている。このとき、既タギングセルについては上記の再タギングの問題が生じる。一方、非タギングセルは、伝送元のタギング処理の結果を尊重して新規にタギングまたは廃棄しない方が望ましい。また、端末から入力される未タギングセルは新規にタギングしても構わない。バンド共用回路が縦続接続される構成では、以上の状況を考慮してタギングまたは廃棄を制御する必要がある。
【００１０】
本発明は、最低保証帯域が明示されている既タギングセルと、非タギングセルおよび未タギングセルが混在する場合でも、タギング処理や優先的に廃棄するセルを選択することができるバンド共用回路を提供することを目的とする。
【００１１】
【課題を解決するための手段】
本発明は、出力情報帯域が入力情報帯域以下である場合に入力セルをシェーピングするバンド共用回路において、入力セルが既タギングセルか非タギングセルか未タギングセルかを観測し、既タギングセルまたは未タギングセルを優先して廃棄し、既タギングセルに対する２重タギング、非タギングセルに対するタギングを抑止する。
【００１２】
【発明の実施の形態】
（第１の実施形態）
図１は、本発明のバンド共用回路の第１の実施形態を示す。
図において、伝送されてきたセルは、タギング観測手段１４を介してタギング／セル廃棄手段１１に入力される。タギング観測手段１４は、入力するセルごとに既タギングセル、非タギングセル、未タギングセルの種類を観測し、その結果をタギング情報としてタギング／セル廃棄手段１１に通知する。
【００１３】
タギング／セル廃棄手段１１は、伝送元ごとに割り当てた最低保証帯域以下の帯域のセルには、セル優先廃棄を示すタギングをせずにセルバッファ回路１２に入力する。
セルバッファ回路１２の受入れ余地は、バッファ閾値観測／廃棄指示手段１３により観測され、受入れ余地が閾値を下回った場合にタギング／セル廃棄手段１１に対して廃棄指示を行う。なお、本実施形態で行うセル廃棄は、セル単位で廃棄してもよいし、セルを一つの塊にした単位であるパケット単位で廃棄してもよい。以下に示す各実施形態においても同様である。
【００１４】
タギング／セル廃棄手段１１は、最低保証帯域を越える帯域のセルが入力され、かつセルバッファ回路１２の受入れ余地が十分にある場合には、既タギングセルおよび非タギングセルはタギングせずにセルバッファ回路１２に入力する。すなわち、既タギングセルは２重にタギングを行わないようにし、非タギングセルは新規にタギングを行わないようにする。これにより、伝送元のタギングの結果を支持し、２重タギングや必要量以上のタギングを抑止することができる。ただし、セルバッファ回路１２の受入れ余地または出力線の状況に応じては、非タギングセルであってもタギングしてセルバッファ回路１２に入力する場合もある。
【００１５】
一方、図１６の端末から送出されたような未タギングセルは、タギングしてセルバッファ回路１２に入力する。非タギングセルまたは未タギングセルのいずれをタギングするかは、状況に応じて適宜選択してもよい。
また、最低保証帯域を越える帯域のセルが入力され、かつセルバッファ回路１２の受入れ余地が閾値を下回った場合には、既タギングセルを優先的に廃棄し、非タギングセルおよび未タギングセルは廃棄しないようにする。ただし、未タギングセルを既タギングセルより優先的に廃棄してもよい。また、優先的に廃棄する既タギングセルや未タギングセルがない場合には、非タギングセルであっても廃棄せざるをえない場合がある。
【００１６】
（第２の実施形態）
図２は、本発明のバンド共用回路の第２の実施形態を示す。
本実施形態の特徴は、図１に示す第１の実施形態の構成において、タギング／セル廃棄手段１１の廃棄処理を制御する廃棄優先制御手段１５を備えるところにある。
【００１７】
廃棄優先制御手段１５は、入力セルを廃棄する際に、既タギングセルか未タギングセルかいずれか一方を優先して廃棄するように制御する。すなわち、タギング／セル廃棄手段１１は、最低保証帯域を越える帯域のセルが入力され、かつセルバッファ回路１２の受入れ余地が閾値を下回った場合に、まず既タギングセルか未タギングセルかいずれか一方を優先的に廃棄する。
【００１８】
これにより、非タギングセルの廃棄が抑止されるので、伝送元のタギングの結果を支持することができる。これは、伝送元がタギングにより伝送品質の違いや希望廃棄順序を提示する装置の場合に有効である。なお、未タギングセルを優先的に廃棄する場合は、遠方から伝送されてきた既タギングセルおよび非タギングセルを尊重して廃棄を極力回避することができる。
【００１９】
（第３の実施形態）
図３は、本発明のバンド共用回路の第３の実施形態を示す。
本実施形態の特徴は、図２に示す第２の実施形態の構成において、タギング観測手段１４がタギング／セル廃棄手段１１にタギング情報を与えるとともに、廃棄優先制御手段１５に既タギングセルおよび未タギングセルの量を通知するところにある。
【００２０】
廃棄優先制御手段１５は、既タギングセルおよび未タギングセルの量に応じて、優先して廃棄するセルを効率よく選択することができる。例えば、既タギングセルの量が多ければ、そのセルを優先的に廃棄することにより非タギングセルおよび未タギングセルの廃棄を抑止することができる。一方、未タギングセルの量が多ければ、未タギングセルを優先的に廃棄することにより、非タギングセルの廃棄を抑止することができる。
【００２１】
（第４の実施形態）
図４は、本発明のバンド共用回路の第４の実施形態を示す。
図において、伝送されてきたセルは、タギング観測／前段セル廃棄手段１６を介してタギング／セル廃棄手段１１に入力される。
第１〜第３の実施形態では、タギング観測手段１４が入力セルの種類を観測し、そのタギング情報と廃棄優先制御手段１５の制御に応じてタギング／セル廃棄手段１１がタギングまたはセル廃棄を行うものである。本実施形態の特徴は、タギング観測手段１４にセル廃棄機能を付加したタギング観測／前段セル廃棄手段１６を用い、ここで既タギングセルまたは未タギングセルの廃棄を行う。タギング／セル廃棄手段１１では、既タギングセルや未タギングセルを廃棄しても、セルバッファ回路１２の受入れ余地が閾値を下回る場合には非タギングセルの廃棄を行う。
【００２２】
廃棄優先制御手段１５は、バッファ閾値観測／廃棄指示手段１３から出力される廃棄指示を受け、タギング観測／前段セル廃棄手段１６における既タギングセルと未タギングセルの廃棄セル量と、タギング／セル廃棄手段１１における非タギングセルの廃棄セル量を適宜選択して指定する。ここで、既タギングセルおよび未タギングセルの廃棄を優先的に行うことにより、非タギングセルの廃棄が抑止され、伝送元のタギングの結果を支持することができる。これは、伝送元がタギングにより伝送品質の違いや希望廃棄順序を提示する装置の場合に有効である。
【００２３】
（第５の実施形態）
図５は、本発明のバンド共用回路の第５の実施形態を示す。
本実施形態の特徴は、図４に示す第４の実施形態の構成において、タギング観測／前段セル廃棄手段１６から廃棄優先制御手段１５に既タギングセルおよび未タギングセルの量を通知するところにある。
【００２４】
廃棄優先制御手段１５は、既タギングセルおよび未タギングセルの量に応じて、タギング観測／前段セル廃棄手段１６における既タギングセルおよび未タギングセルの廃棄を優先的に行うことにより、非タギングセルの廃棄が抑止され、伝送元のタギングの結果を支持することができる。これは、伝送元がタギングにより伝送品質の違いや希望廃棄順序を提示する装置の場合に有効である。
【００２５】
（第６の実施形態）
図６は、本発明のバンド共用回路の第６の実施形態を示す。
本実施形態の特徴は、図４に示す第４の実施形態の構成において、タギング観測／前段セル廃棄手段１６からタギング／セル廃棄手段１１にタギング情報を通知するところにある。これにより、タギング観測／前段セル廃棄手段１６で廃棄されなかった既タギングセルに対する２重タギングや、非タギングセルに対するタギングを抑止することができる。
【００２６】
（第７の実施形態）
図７は、本発明のバンド共用回路の第７の実施形態を示す。
本実施形態の特徴は、図５に示す第５の実施形態の構成において、タギング観測／前段セル廃棄手段１６からタギング／セル廃棄手段１１にタギング情報を通知するところにある。これにより、タギング観測／前段セル廃棄手段１６で廃棄されなかった既タギングセルに対する２重タギングや、非タギングセルに対するタギングを抑止することができる。
【００２７】
（第８の実施形態）
図８は、本発明のバンド共用回路の第８の実施形態を示す。
図において、伝送されてきたセルは、タギング観測／前段セル廃棄手段１６を介してタギング／セル廃棄手段１１に入力される。タギング／セル廃棄手段１１は、伝送元ごとに割り当てた最低保証帯域以下の帯域のセルには、セル優先廃棄を示すタギングをせずにセルバッファ回路１２に入力する。
【００２８】
セルバッファ回路１２の受入れ余地は、第１のバッファ閾値観測／廃棄指示手段１３−１および第２のバッファ閾値観測／廃棄指示手段１３−２により観測され、受入れ余地が第１の閾値を下回った場合にタギング／セル廃棄手段１１に対して廃棄指示を行い、第２の閾値を下回った場合にタギング観測／前段セル廃棄手段１６に対して廃棄指示を行う。
【００２９】
タギング観測／前段セル廃棄手段１６は既タギングセルと未タギングセルについて、タギング／セル廃棄手段１１は非タギングセルについて、それぞれ第４の実施形態と同様に廃棄処理を行う。
ここで、第２の閾値を第１の閾値より大きい値に設定することにより、まずタギング観測／前段セル廃棄手段１６で既タギングセルまたは未タギングセルの廃棄が優先的に行われる。これにより、非タギングセルの廃棄が抑止され、伝送元のタギングの結果を支持することができる。これは、伝送元がタギングにより伝送品質の違いや希望廃棄順序を提示する装置の場合に有効である。
【００３０】
ただし、タギング観測／前段セル廃棄手段１６で既タギングセルまたは未タギングセルの廃棄が行われても、セルバッファ回路１２に蓄積しているセル量が増加し、受入れ余地が第１の閾値を下回った場合には、タギング／セル廃棄手段１１で非タギングセルについても廃棄処理を行う。なお、第１の閾値と第２の閾値は同じ値であってもよい。
【００３１】
（第９の実施形態）
図９は、本発明のバンド共用回路の第９の実施形態を示す。
本実施形態の特徴は、図８に示す第８の実施形態の構成において、タギング観測／前段セル廃棄手段１６からタギング／セル廃棄手段１１にタギング情報を通知するところにある。これにより、タギング観測／前段セル廃棄手段１６で廃棄されなかった既タギングセルに対する２重タギングや、非タギングセルに対するタギングを抑止することができる。
【００３２】
（第１０の実施形態）
図１０は、本発明のバンド共用回路の第１０の実施形態を示す。
図において、伝送されてきたセルは、タギング観測／前段セル廃棄手段１６に入力される。タギング観測／前段セル廃棄手段１６は、入力するセルごとに既タギングセルか否かを観測し、非タギングセルおよび未タギングセルを無条件で前段セルバッファ回路１７に入力する。前段セルバッファ回路１７の受入れ余地は、第２のバッファ閾値観測／廃棄指示手段１３−２により観測され、受入れ余地が第２の閾値を下回った場合にタギング観測／前段セル廃棄手段１６に対して廃棄指示を行う。既タギングセルは、この廃棄指示があれば廃棄され、なければ前段セルバッファ回路１７に入力される。
【００３３】
前段セルバッファ回路１７から出力されたセルについては、タギング／セル廃棄手段１１、セルバッファ回路１２、第１のバッファ閾値観測／廃棄指示手段１３−１により、従来のバンド共用回路と同様にしてセルのタギングおよび廃棄が行われる。ただし、ここでは既タギングセルが選択的に廃棄されているので、２重タギングは最小限に抑えることができる。
【００３４】
（第１１の実施形態）
図１１は、本発明のバンド共用回路の第１１の実施形態を示す。
本実施形態の特徴は、図１０に示す第１０の実施形態の構成において、タギング観測／前段セル廃棄手段１６からタギング／セル廃棄手段１１にタギング情報を通知するところにある。これにより、タギング観測／前段セル廃棄手段１６で廃棄されなかった既タギングセルに対する２重タギングや、非タギングセルに対するタギングを抑止することができる。
【００３５】
（第１２の実施形態）
図１２は、本発明のバンド共用回路の第１２の実施形態を示す。
図において、伝送されてきたセルは、タギング観測／前段セル廃棄手段１６に入力される。タギング観測／前段セル廃棄手段１６は、入力するセルごとに既タギングセルか否かを観測し、非タギングセルおよび未タギングセルは無条件でタギング／セル廃棄手段１１に入力し、既タギングセルは原則廃棄する。
【００３６】
ただし、バンド共用回路の出力情報帯域に余裕があれば、既タギングセルもタギング／セル廃棄手段１１に入力する。出力情報帯域の余裕の有無は、タギング観測／前段セル廃棄手段１６における観測結果を観測窓内セル計数／通過許可手段１８でカウントすることにより決定し、既タギングセルに通過許可を与える。この通過許可のアルゴリズムの一例を以下に示す。
【００３７】
タギング観測／前段セル廃棄手段１６を通過する非タギングセルおよび未タギングセルの帯域を一定時間で計測する。この一定時間の区切りを観測窓という。ある観測窓で、通過する非タギングセルおよび未タギングセルの帯域がバンド共用回路の出力情報帯域に比べて少ない場合には、余裕があると判断する。そして、出力情報帯域からその観測窓でカウントされた非タギングセルおよび未タギングセルの帯域を引いた分が、次観測窓で既タギングセルに通過許可を与える帯域となる。ここで、観測窓の大きさは任意であるが、バンド共用回路の出力情報帯域と観測窓の積がセル単位かパケット単位で区切ることができる方が望ましい。また、観測窓と観測窓内の通過許可帯域との積がセル単位で区切ることができる方が望ましい。
【００３８】
タギング観測／前段セル廃棄手段１６から出力されたセルについては、タギング／セル廃棄手段１１、セルバッファ回路１２、バッファ閾値観測／廃棄指示手段１３により、従来のバンド共用回路と同様にしてセルのタギングおよび廃棄が行われる。ただし、ここでは既タギングセルが選択的に廃棄されているので、２重タギングは最小限に抑えることができる。
【００３９】
（第１３の実施形態）
図１３は、本発明のバンド共用回路の第１３の実施形態を示す。
本実施形態の特徴は、図１２に示す第１２の実施形態の構成において、タギング観測／前段セル廃棄手段１６からタギング／セル廃棄手段１１にタギング情報を通知するところにある。これにより、タギング観測／前段セル廃棄手段１６で廃棄されなかった既タギングセルに対する２重タギングや、非タギングセルに対するタギングを抑止することができる。
【００４０】
（第１４の実施形態）
図１４は、本発明のバンド共用回路の第１４の実施形態を示す。
図において、伝送されてきたセルは、タギング観測／セル廃棄手段１９に入力される。タギング観測／セル廃棄手段１９は、入力するセルごとに既タギングセルか否かを観測し、非タギングセルおよび未タギングセルを無条件でセルバッファ回路１２に入力する。セルバッファ回路１２の受入れ余地は、バッファ閾値観測／廃棄指示手段１３により観測され、受入れ余地が閾値を下回った場合にタギング観測／セル廃棄手段１９に対して廃棄指示を行う。既タギングセルは、この廃棄指示があれば廃棄され、なければセルバッファ回路１２に入力される。
【００４１】
【発明の効果】
以上説明したように、本発明のバンド共用回路は、既タギングセルまたは未タギングセルを優先して廃棄し、既タギングセルに対する２重タギングや非タギングセルに対するタギングを抑止することができる。これにより、伝送元のタギングの結果を支持することができるので、伝送元がタギングにより伝送品質の違いや希望廃棄順序を提示する装置にも対応することができる。
【図面の簡単な説明】
【図１】本発明のバンド共用回路の第１の実施形態を示すブロック図。
【図２】本発明のバンド共用回路の第２の実施形態を示すブロック図。
【図３】本発明のバンド共用回路の第３の実施形態を示すブロック図。
【図４】本発明のバンド共用回路の第４の実施形態を示すブロック図。
【図５】本発明のバンド共用回路の第５の実施形態を示すブロック図。
【図６】本発明のバンド共用回路の第６の実施形態を示すブロック図。
【図７】本発明のバンド共用回路の第７の実施形態を示すブロック図。
【図８】本発明のバンド共用回路の第８の実施形態を示すブロック図。
【図９】本発明のバンド共用回路の第９の実施形態を示すブロック図。
【図１０】本発明のバンド共用回路の第１０の実施形態を示すブロック図。
【図１１】本発明のバンド共用回路の第１１の実施形態を示すブロック図。
【図１２】本発明のバンド共用回路の第１２の実施形態を示すブロック図。
【図１３】本発明のバンド共用回路の第１３の実施形態を示すブロック図。
【図１４】本発明のバンド共用回路の第１４の実施形態を示すブロック図。
【図１５】従来のバンド共用回路の構成例を示すブロック図。
【図１６】バンド共用回路が縦続接続されるシステム構成例を示すブロック図。
【符号の説明】
１１  タギング／セル廃棄手段
１２  セルバッファ回路
１３  バッファ閾値観測／廃棄指示手段
１４  タギング観測手段
１５  廃棄優先制御手段
１６  タギング観測／前段セル廃棄手段
１７  前段セルバッファ回路
１８  観測窓内セル計数／通過許可手段
１９  タギング観測／セル廃棄手段
【図１】
0003686496.tif 000002
【図２】
0003686496.tif 000003
【図３】
0003686496.tif 000004
【図４】
0003686496.tif 000005
【図５】
0003686496.tif 000006
【図６】
0003686496.tif 000007
【図７】
0003686496.tif 000008
【図８】
0003686496.tif 000009
【図９】
0003686496.tif 000010
【図１０】
0003686496.tif 000011
【図１１】
0003686496.tif 000012
【図１２】
0003686496.tif 000013
【図１３】
0003686496.tif 000014
【図１４】
0003686496.tif 000015
【図１５】
0003686496.tif 000016
【図１６】
0003686496.tif 000017